(57)【要約】【課題】空気調和機の室内機で、表示用プリント基板を水受け部の前方で、冷房、除湿運転時に熱交換器からの冷輻射を受け得るような位置に配置した場合でも、表示部への結露の発生の防止が可能な構造を有する空気調和機の室内機を提供するものである。【解決手段】表示用プリント基板７を具備する表示部１２を、吹出グリル側に設けられた表示部を水受け部１１から離して支持する支持リブ１０を用いて、空気調和機の運転に伴って吸込まれた室温の空気が表示部１２の背面側に流れるようにすることにより、表示部での結露発生を抑制するものである。【選択図】  図２
2004316973.tif 000002
【特許請求の範囲】
【請求項１】
熱交換器と、この熱交換器で発生した凝縮水を受ける水受け部と、この水受け部の前方側に配置された表示部とを有する空気調和機において、前記表示部は前記水受け部の前面側からさらに前方に延出して構成された表示部固定部を有し、空気調和機の運転に伴い吸込まれた空気が少なくとも前記表示部固定部の背面側に沿って前記熱交換器に流入するよう構成したことを特徴とする空気調和機の室内機。
【請求項２】
表示部固定部は少なくともその背面側の一部が熱交換器を通過する空気の送風路に面するように配置されていることを特徴とする請求項１記載の空気調和機の室内機。
【請求項３】
表示部固定部の背面側は、その背面側の一部が熱交換器を通過する空気の送風路に対して滑らかな面を有して構成されていることを特徴とする請求項２記載の空気調和機の室内機。
【請求項４】
表示部固定部は水受け部に対して、別部品にて着脱可能に配置されていることを特徴とする請求項１記載の空気調和機の室内機。
【発明の詳細な説明】
【０００１】
【発明の属する技術分野】
本発明は、空気調和機に室内機表示部に関し、さらに詳細には、前面グリル中央に表示部を配置する際の冷房、除湿時の表示部への結露を抑制する空気調和機の室内機に関するものである。
【０００２】
【従来の技術】
従来、図４に示すように、空気調和機にはその運転状況や設定状況をユーザに対して示すためにＬＥＤや液晶デバイスを用いた表示部１２を具備している。表示部１２は、同図に示すように、空気調和機の室内機Ｙの前面側を構成する前面グリル２１の中央下方に配置すると意匠性、視認性が良く、近年多用されている。
【０００３】
その表示部１２の取付構造について図５を用いて説明する。同図において２１は前面グリル、２３は熱交換器、２５は吹出グリル、２７は表示部用プリント基板、２８は樹脂材にて成形された表示台、そして２９は空気の吹出口、２０は表示部固定用リブである。
【０００４】
空気調和機の室内機で上記の位置に表示部を配置する場合には、吹出しグリル２５と一体に形成され、熱交換器２３に発生する結露水を受ける水受け部３２の一側壁２５ａを支持部として、そこからリブを立てるなどしてその前方に表示部用プリント基板２７を表示台２８に固定するようにしていた。
【０００５】
しかし、このような構造設計では、冷房、除湿運転を行うと表示部１２は水受け部３２近傍にあるため、冷輻射と吹出風の影響を受けて表示部全体が冷却され、ひいては表示用プリント基板２７に結露が発生する可能性があった。
【０００６】
このような不具合を解決するために、従来の発明では、表示用プリント基板２７を箱型の樹脂ケース（図示せず）などで極力覆い、それを表示台２８に取付るようにし、さらには樹脂ケースの隙間から侵入する冷風や、冷却された熱交換器２３や吹出グリル２５からの冷輻射による表示台２８の内外壁や表示用プリント基板２７の裏面への結露を防止するために、箱型の表示材２８の外周に断熱材３１を貼付していた。（例えば特許文献１参照）
【０００７】
【特許文献１】
特開２００２−２２１３３６号公報
【０００８】
【発明が解決しようとする課題】
しかしながら、上記従来のような結露防止のための構成では、熱交換器や水受け部３２の一側壁２５ａから冷熱が冷輻射や伝熱の形で樹脂ケースに伝わったりすることにより表示用プリント基板２７の裏面側が冷却され、結露を十分に防止できないという課題を有していた。
【０００９】
本発明はこのような従来の課題を解決するものであり、冷房、除湿時の表示部への結露防止が可能な前面グリル中央部に表示を有する空気調和機に室内機を提供することを目的とする。
【００１０】
【課題を解決するための手段】
上記課題を解決するために本発明の空気調和機の室内機は、熱交換器と、この熱交換器で発生した凝縮水を受ける水受け部と、この水受け部の前方側に配置された表示部とを有する空気調和機において、前記表示部は前記水受け部の前面側からさらに前方に延出して構成された表示部固定部を有し、空気調和機の運転に伴い吸込まれた空気が少なくとも前記表示部固定部の背面側に沿って前記熱交換器に流入するよう構成したことを特徴とする。
【００１１】
この構成により、前面グリルの吸込み部を通って熱交換器の下方に吸込まれる室温の空気が表示部の背面を通過するようにすることで吹出グリルからの冷輻射の伝熱の影響を減少させるとともに、表示部の背面側の温度が下がりにくくなり、表示部の電子基板などへの結露の発生を極力防止することができる。
【００１２】
ここで、表示部固定部は少なくともその背面側の一部が熱交換器を通過する空気の送風路に面するように配置されているとよい。そうすれば、室内機が吸込む室温の送風が表示部固定部と水受け部との間の空間により通風されやすくなる。
【００１３】
さらに、表示部固定部の背面側は、その背面側の一部が熱交換器を通過する空気の送風路に対して滑らかな面を有して構成されていると、吸込み空気はコアンダ効果により、よりいっそう表示部固定部の背面側に通風されやすくなる。
【００１４】
なお、表示部固定部は水受け部に対して、別部品にて着脱可能に配置されているとよい。そうすれば上記のような構成に仕上げるために特別な金型構成、製造方法をとって複雑な製造をしなくてよいし、また、吸込み部の形状・位置に応じて表示部固定部の形状を変更することで、最小限の部材変更で広い範囲の製品に対応することができる。
【００１５】
【発明の実施の形態】
以下本発明の実施の形態について図面を参照して説明する。
【００１６】
図１において、本発明の空気調和機の断面図で１は前面グリル、２は空気の吸込口、３は熱交換器、４は送風ファン、５は吹出しグリル、６は集塵のためのプレフィルタ、１２は表示部、７はＬＥＤなどの発光デバイスを具備した表示用プリント基板、８は表示台、９は空気吹出口、１０は表示部を水受け部１１に対して空間をあけて前方、より好ましくは前方斜め上方に固定するための支持リブ（表示部固定部）である。
【００１７】
送風ファン４の運転により空気吸込口２から導入された空気が、プレフィルタ６、熱交換器３を介して、空気吹出口９から吹き出される。表示台８には、表示用プリント基板７を取付けて表示部６を形成し、前面グリル１と熱交換器３との間の支持リブ１０にて表示台８に固定する。
【００１８】
図２は本実施形態の図１のＡ部の要部拡大図である。
上記構成において、表示用プリント基板７を取付ける表示台８を支持リブ１０を介して吹出しグリル５から冷熱の伝熱の影響をできるだけ受けないように固定する。このことにより、冷房、除湿時に熱交換器３によって冷却された吹出しグリル５から表示部６底面への冷熱の伝熱を軽減することができる。
【００１９】
【発明の効果】
上記から明らかなように、本発明は、空気調和機の室内機で、表示用プリント基板を水受け部の前方で、熱交換器からの冷輻射を受け得るような位置に配置したとしても、極力表示部での結露の発生を防止し、信頼性の高い装置を提供しうるものである。
【図面の簡単な説明】
【図１】（ａ）本発明の実施形態を示す空気調和機の室内機の断面図
（ｂ）本発明の実施形態を示す空気調和機の室内機の前面側構成模式図
【図２】図１（ａ）のＡ部の要部拡大模式図
【図３】従来の空気調和機の室内機の前面側構成模式図
【図４】従来の空気調和機の室内機における表示部の要部断面構成模式図
【符号の説明】
１  前面グリル
２  空気吸込口
３  熱交換器
４  送風ファン
５  風向変更羽根
６  プレフィルタ
７  表示用プリント基板
８  表示台
９  空気吹出口
１０  支持リブ
１１  水受け部
１２  表示部
１２ａ  ＬＥＤ
【図１】
2004316973.tif 000003
【図２】
2004316973.tif 000004
【図３】
2004316973.tif 000005
【図４】
2004316973.tif 000006